(57)【要約】【課題】  省エネルギーかつコンパクトな構造により、熱源の温度変動の影響を受け難い安定した暖房能力を得る。【解決手段】  外部から供給される温水を熱源にして温風を発生する温風発生器において、吸込口１１ａ２１と吐出口１１ａ２２を有するケース１１と、ケース１１内で吸込口１１ａ２１により吸入される空気を吐出口１１ａ２２へ送り込むファン１２と、ケース１１内の空気の流通経路中で前記温水と前記空気の熱交換を行うラジエーター１３とを備え、ラジエーター１３は、ファン１２によって送り込まれる空気に接触する多数の熱交換フィン１３ａと、これら多数の熱交換フィン１３ａに貫通状に埋め込まれて前記温水を流通する通水管１３ｃ’と、同多数の熱交換フィン１３ａに貫通状に埋め込まれた棒状の電熱ヒーター１３ｄとを備える。【選択図】  図５
2020046105.tif 000002
【特許請求の範囲】
【請求項１】
外部から供給される温水を熱源にして温風を発生する温風発生器において、
吸込口と吐出口を有するケースと、前記ケース内で前記吸込口により吸入される空気を前記吐出口へ送り込むファンと、前記ケース内の空気の流通経路中で前記温水と前記空気の熱交換を行うラジエーターとを備え、
前記ラジエーターは、前記ファンによって送り込まれる空気に接触する多数の熱交換フィンと、これら多数の熱交換フィンに貫通状に埋め込まれて前記温水を流通する通水管と、同多数の熱交換フィンに貫通状に埋め込まれた棒状の電熱ヒーターとを備えることを特徴とする温風発生器。
【請求項２】
前記多数の熱交換フィンに貫通状に埋め込まれた伝熱管を複数備え、これら複数の伝熱管の一部を前記通水管として用いるとともに、前記伝熱管の他の一部に、前記電熱ヒーターを挿入していることを特徴とする請求項１記載の温風発生器。
【請求項３】
前記通水管の上流側の配管と下流側の配管とのうち、その一方又は双方には、可撓性を有する長尺状のコードヒーターが巻き付けられていることを特徴とする請求項１又は２記載の温風発生器。
【請求項４】
請求項１〜３何れか１項記載の温風発生器を備えた温風床下暖房システムであって、
前記通水管の入口に接続された往管と、前記通水管の出口に接続された還管と、前記還管から回収した水を加熱して前記往管へ供給する空気熱源ヒートポンプ装置とを具備し、前記空気熱源ヒートポンプ装置のデフロスト運転中に、前記電熱ヒーターを通電するようにしたことを特徴とする温風床下暖房システム。
【請求項５】
前記通水管をバイパスして前記往管から前記還管へ水を流すバイパス管と、このバイパス管に流れる水の流量を調整する流量調整装置と備え、前記空気熱源ヒートポンプ装置のデフロスト運転中に、前記流量調整装置によって、前記バイパス管に流れる水の流量を増加するようにしたことを特徴とする請求項４記載の温風床下暖房システム。
【請求項６】
温風の流路中に温度センサを備え、前記温度センサの感知温度に応じて、前記電熱ヒーターを制御するようにしたことを特徴とする請求項４又は５記載の温風床下暖房システム。
【発明の詳細な説明】
【技術分野】
【０００１】
本発明は、床下の温風ダクトに温風を供給して床面から上方へふく射熱が放射されるようにする温風発生器及び温風床下暖房システムに関するものである。
【背景技術】
【０００２】
従来、この種の発明には、例えば、特許文献１に記載されるように、床暖房対象居室の床下に温風発生器を着脱可能に格納し閉蓋したケースを設置し、上部の床面に点検口を設置して、容易に点検可能とした温風床下暖房システムがある。
この従来技術によれば、床面から放出されるふく射熱の効果により、「陽だまりのような温かさ」で部屋全体をムラなく温めることができ、理想的な頭寒足熱に近い暖房効果を得ることができる。
このような温風床下暖房システムに具備される温風発生器には、熱源に電熱ヒーターを用いる電気式温風発生器と、熱源にボイラによる給湯を用いる温水式温風発生器がある。
また、近年では、国策である「省エネ＆再生可能エネルギー活用」の観点から、温水式温風発生器の熱源として、空気熱源ヒートポンプ装置（空冷ヒートポンプチラー等を含む）の利用が推奨される場合がある。
【先行技術文献】
【特許文献】
【０００３】
【特許文献１】第５１７６２０９号公報
【発明の概要】
【発明が解決しようとする課題】
【０００４】
ところで、電気式温風発生器は、電力消費量が大きく、国策である「省エネ＆再生可能エネルギー活用」の観点より好ましくない。
温水式温風発生器では、電力消費量が比較的小さい反面、熱源の温度変動の影響を受け易いという欠点がある。また、温水熱源として空気熱源ヒートポンプ装置を利用する場合には、デフロスト運転時の高低温の逆転により、温水式温風発生器に供給される温水の温度が著しく低下して、床下暖房に必要な温風の温度を得られなくなることが懸念される。
また、いずれの方式を適用する場合も、施工性やメンテナンス性等の観点からコンパクトな構造が求められる。
【課題を解決するための手段】
【０００５】
このような課題に鑑みて、本発明は、以下の構成を具備するものである。
外部から供給される温水を熱源にして温風を発生する温風発生器において、吸込口と吐出口を有するケースと、前記ケース内で前記吸込口により吸入される空気を前記吐出口へ送り込むファンと、前記ケース内の空気の流通経路中で前記温水と前記空気の熱交換を行うラジエーターとを備え、前記ラジエーターは、前記ファンによって送り込まれる空気に接触する多数の熱交換フィンと、これら多数の熱交換フィンに貫通状に埋め込まれて前記温水を流通する通水管と、同多数の熱交換フィンに貫通状に埋め込まれた棒状の電熱ヒーターとを備えることを特徴とする温風発生器。
【発明の効果】
【０００６】
本発明は、以上説明したように構成されているので、省エネルギーかつコンパクトな構造により、熱源の温度変動の影響を受け難い安定した暖房能力を得ることができる。
【図面の簡単な説明】
【０００７】
【図１】本発明に係る温風床下暖房システムの一例について、床材等を省いて示す平面図である。
【図２】同温風床下暖房システムを示す縦断面図であり、（ａ）は布基礎上に構成した半蓄熱タイプの一例、（ｂ）はベタ基礎上に構成した蓄熱タイプの一例、（ｃ）は布基礎上に構成した半蓄熱タイプの他例を、それぞれ示している。
【図３】本発明に係る温風発生器の一例について、蓋部材を省いた状態を示す平面図である。
【図４】同温風発生器について、ケースを分離した状態を示す斜視画像である。
【図５】ラジエーターの一例を示し、（ａ）は正面図、（ｂ）は側面図である。
【図６】同ラジエーターの要部拡大断面図である。
【図７】本発明に係る温風床下暖房システムを示す配管系統図であり、（ａ）は通常運転時の状態を示し、（ｂ）はデフロフト運転中の状態を示している。
【図８】ラジエーターの他例における要部拡大断面図である。
【図９】本発明に係る温風発生器の他例について、蓋部材を省いた状態を示す平面図である。
【発明を実施するための形態】
【０００８】
本実施の形態では、以下の特徴を開示している。
第一の特徴は、外部から供給される温水を熱源にして温風を発生する温風発生器において、吸込口と吐出口を有するケースと、前記ケース内で前記吸込口により吸入される空気を前記吐出口へ送り込むファンと、前記ケース内の空気の流通経路中で前記温水と前記空気の熱交換を行うラジエーターとを備え、前記ラジエーターは、前記ファンによって送り込まれる空気に接触する多数の熱交換フィンと、これら多数の熱交換フィンに貫通状に埋め込まれて前記温水を流通する通水管と、同多数の熱交換フィンに貫通状に埋め込まれた棒状の電熱ヒーターとを備える（図３〜図６参照）。
【０００９】
第二の特徴は、前記多数の熱交換フィンに貫通状に埋め込まれた伝熱管を複数備え、これら複数の伝熱管の一部を前記通水管として用いるとともに、前記伝熱管の他の一部に、前記電熱ヒーターを挿入している（図６参照）。
【００１０】
第三の特徴は、前記通水管の上流側の配管と下流側の配管とのうち、その一方又は双方には、可撓性を有する長尺状のコードヒーターが巻き付けられている（図９参照）。
【００１１】
第四の特徴は、前記温風発生器を備えた温風床下暖房システムであって、前記通水管の入口に接続された往管と、前記通水管の出口に接続された還管と、前記還管から回収した水を加熱して前記往管へ供給する空気熱源ヒートポンプ装置とを具備し、前記空気熱源ヒートポンプ装置のデフロスト運転中に、前記電熱ヒーターを通電するようにした（図７参照）。
【００１２】
第五の特徴は、前記通水管をバイパスして前記往管から前記還管へ水を流すバイパス管と、このバイパス管に流れる水の流量を調整する流量調整装置と備え、前記空気熱源ヒートポンプ装置のデフロスト運転中に、前記流量調整装置によって、前記バイパス管に流れる水の流量を増加する（図７参照）。
【００１３】
第六の特徴は、温風の流路中に温度センサを備え、前記温度センサの感知温度に応じて、前記電熱ヒーターを制御するようにした（図３参照）。
【００１４】
＜具体的実施態様＞
次に、上記特徴を有する具体的な実施態様について、図面に基づいて詳細に説明する。
温風床下暖房システムＡは、外部から供給される温水を熱源にして温風を発生する温風発生器１０と、この温風発生器１０に接続された複数の温風ダクト２０と、温風発生器１０へ温水を供給する空気熱源ヒートポンプ装置３０（図７参照）とを備える。
【００１５】
図１は、温風発生器１０及び温風ダクト２０が設置された床下の構造を示す平面図である。この図示例によれば、床下の中央寄りに温風発生器１０が設けられ、この温風発生器１０の周囲に複数の温風ダクト２０が設けられる。
【００１６】
温風発生器１０及び温風ダクト２０は、図２（ａ）〜（ｃ）に縦断面構造を示すように、複数種類の周知の床下構造に適用可能である。
【００１７】
図２（ａ）に示す温風床下暖房システムＡは、布基礎を構成する床下のコンクリート層１中に温風発生器１０及び温風ダクト２０を設置し、コンクリート層１の上側と床面２との間に空気層３を確保している。
図２（ａ）の温風床下暖房システムＡによれば、温風ダクト２０の熱は、コンクリート層１に蓄熱されてゆき、コンクリート層１から空気層３に熱伝達して空気層３にも蓄熱される。そして、空気層３の熱は、床２に伝達し、床２面から上方へふく射熱として放射される。
【００１８】
図２（ｂ）に示す温風床下暖房システムＡは、ベタ基礎を構成する床下のコンクリート層１中に、温風発生器１０及び温風ダクト２０を設置し、コンクリート層１の上面を床２の下面に接触させている。
図２（ｂ）の温風床下暖房システムＡによれば、温風ダクト２０の熱は、コンクリート層１に蓄熱されてゆき、コンクリート層１から床２へ直接的に熱伝達し、床２面から上方へふく射熱として放射される。
【００１９】
図２（ｃ）に示す温風床下暖房システムＡは、布基礎を構成する床下のコンクリート層１と床２の間の空気層３中に、温風発生器１０及び温風ダクト２０を設置している。
図２（ｃ）の温風床下暖房システムＡによれば、温風ダクト２０の熱は、空気層３に熱伝達して蓄熱される。そして、この空気層３の熱は、床２に伝達し、床２面から上方へふく射熱として放射される。
【００２０】
なお、図２（ａ）（ｃ）に示すように、温風ダクト２０と床２の間の熱伝達経路中に空気層３を有する構造は、当業者間において半蓄熱タイプと呼称される場合がある。また、図２（ｂ）に示すように、空気層３を有さずに温風ダクト２０をコンクリート層１中に埋め込んだ構造は、当業者間において蓄熱タイプと呼称される場合がある。
【００２１】
温風床下暖房システムＡに用いられる温風発生器１０は、吸込口１１ａ２１と吐出口１１ａ２２を有するケース１１と、ケース１１内で吸込口１１ａ２１により吸入される空気を吐出口１１ａ２２へ送り込むファン１２と、ケース１１内の空気の流通経路中で、温水と空気の熱交換を行う複数のラジエーター１３とを備える（図３及び図４参照）。
【００２２】
ケース１１は、上方を開口した箱状のケース本体１１ａと、このケース本体の前記開口を閉鎖する蓋部材１１ｂ（図２参照）とから構成される。
ケース本体１１ａは、矩形状の底部１１ａ１と、この底部１１ａ１の四辺からそれぞれ立ち上がって、底部１１ａ１上方の空間を矩形状に囲む四つの側壁１１ａ２とを有する。各側壁１１ａ２には、吸込口１１ａ２１と吐出口１１ａ２２が設けられる（図３参照）。
【００２３】
吸込口１１ａ２１及び吐出口１１ａ２２は、それぞれ、側壁１１ａ２から外方へ突出する円筒状の部材であり、その内部の空間をケース本体１１ａ内に連通している。
【００２４】
吸込口１１ａ２１は、図示例によれば、各側壁１１ａ２の水平幅方向の両側にそれぞれ設けられる。各吸込口１１ａ２１は、温風ダクト２０の出口に接続され、温風ダクト２０から吸入する空気をケース１１内へ導く。
なお、図３中、符号１４は、吸込口１１ａ２１の下流側で、温風の温度を感知する温度センサである。
【００２５】
吐出口１１ａ２２は、各側壁１１ａ２において、両側の吸込口１１ａ２１の間に二つ並設される。各吐出口１１ａ２２は、温風ダクト２０の入口に接続され、ラジエーター１３から送出される温風を温風ダクト２０内へ導く。
【００２６】
ファン１２は、ケース１１内の中央側に設けられた遠心ファンである。このファン１２は、鉛直方向へわたる軸の周囲に環状に並ぶ多数の回転羽根を備え、その中心側に吸い込んだ空気を遠心方向へ送出する。
そして、このファン１２から送出される空気は、ケース１１内の四方それぞれにおいて、ラジエーター１３を通過して、吐出口１１ａ２２へ送り込まれる。
【００２７】
ラジエーター１３は、ファン１２によって送り込まれる空気に接触する多数の熱交換フィン１３ａ（図６参照）と、これら多数の熱交換フィン１３ａに貫通状に埋め込まれた伝熱管１３ｃと、同多数の熱交換フィン１３ａに貫通状に埋め込まれた棒状の電熱ヒーター１３ｄとを備え、図示例によれば、ケース１１の各側壁１１ａ２の吐出口１１ａ２２部分に沿って直方体状に構成される。
【００２８】
熱交換フィン１３ａは、アルミニウム合金等の熱伝導性金属材料から薄板状に形成される。この熱交換フィン１３ａは、ケース１１の側壁１１ａ２に交差する方向へ延設されるとともに、側壁１１ａ２に沿う方向に間隔を置いて多数平行に配設される。ファン１２による送風は、隣接する熱交換フィン１３ａ間を通過して、吐出口１１ａ２２へ送り込まれる。
【００２９】
伝熱管１３ｃは、例えば銅管等の熱伝導性の直管であり、多数の熱交換フィン１３ａに貫通状に設けられる。この伝熱管１３ｃは、熱交換フィン１３ａに略直交する方向へ間隔を置いて複数並設される。そして、これら複数の伝熱管１３ｃのうち、その一部（図６によれば上側の伝熱管１３ｃ）は温水を通水するための通水管１３ｃ’として用いられ、他の一部（図６によれば下側の伝熱管１３ｃ）には、電熱ヒーター１３ｄが挿入される。
【００３０】
各ラジエーター１３の複数の通水管１３ｃ’は、一本の連続する流路を形成するように、その端部側にベンド管が接続されている。
詳細に説明すれば、最も上流側に位置する通水管１３ｃ’の入口には、Ｌ字状のベンド管１３ｅが接続される。そして、この通水管１３ｃ’の出口には、Ｕ字状のベンド管１３ｆが接続される。さらに、このベンド管１３ｆの下流側は、他の通水管１３ｃ’に接続される。
このように、ベンド管１３ｆと通水管１３ｃ’の接続構造を繰り返し、複数の通水管１３ｃ’が、一本の連続する流路を形成する。そして、その最も下流側に位置する通水管１３ｃ’の出口には、Ｌ字状のベンド管１３ｇが接続される。
【００３１】
そして、入口側の複数のベンド管１３ｅには、分配管１３ｈが接続される。
この分配管１３ｈは、図３に示すように、複数のラジエーター１３に跨るように略環状に延設された配管であり、その延設経路の途中部分が分岐され各ベンド管１３ｅに接続されている。
この分配管１３ｈの入口は、後述する空気熱源ヒートポンプ装置３０の往管４１に接続される。
【００３２】
また、出口側の複数のベンド管１３ｇには、集合管１３ｉが接続される。
この集合管１３ｉは、図３に示すように、複数のラジエーター１３に跨るように略環状に延設された配管であり、その延設経路の途中部分には、複数のベンド管１３ｇが合流するようにして接続される。
この集合管１３ｉの出口は、後述する空気熱源ヒートポンプ装置３０の還管４２に接続される。
【００３３】
また、電熱ヒーター１３ｄは、長尺棒状のヒーターであり、少なくともその一部分を、伝熱管１３ｃの内周面に接触させている。この電熱ヒーター１３ｄは、シーズヒータと呼称される場合がある。
この電熱ヒーター１３ｄは、空気熱源ヒートポンプ装置３０のデフロスト運転中に、通電されるように図示しない制御回路によって制御されている。
すなわち、前記制御回路は、空気熱源ヒートポンプ装置３０のリレー回路等の接点信号によりデフロスト運転の開始及び終了を判断し、デフロスト運転が開始した場合には、電熱ヒーター１３ｄの温度制御を開始し、デフロスト運転が終了した場合には、電熱ヒーター１３ｄの温度制御を終了する。
この温度制御の一例としては、温度センサ１４による感知温度が所定の適正温度範囲内となるように、電熱ヒーター１３ｄをオンオフ制御する。
【００３４】
上記構成の温風発生器１０は、図７に示すように、往管４１及び還管４２等によって空気熱源ヒートポンプ装置３０に接続される。
空気熱源ヒートポンプ装置３０は、熱源側空気熱交換器、利用側水熱交換器、圧縮機、膨張弁、四方弁、これらを接続する配管等により、空冷ヒートポンプ式冷凍サイクルを構成している。この空気熱源ヒートポンプ装置３０には、例えば、空冷ヒートポンプチラーを用いることが可能である。
この空気熱源ヒートポンプ装置３０は、前記利用側水熱交換器の水配管の出口を往管４１へ接続し、同水配管の入口を還管４２へ接続しており、還管４２から回収した水を加熱して温水にし、この温水を往管４１へ供給する。
【００３５】
また、この空気熱源ヒートポンプ装置３０は、前記熱源側空気熱交換器に霜が付着した場合には、その霜を除去するために、前記四方弁を切り替えて、冷凍サイクル中の高温（高圧）と低温（低圧）を切り替えて、所定時間のデフロスト運転を行う。このデフロスト運転中は、往管４１に対し、前記温水よりも低い温度の水が供給される。
【００３６】
往管４１の流路は、流量調整装置５０を介して二方向へ分岐される。その一方の流路は、温風発生器１０の分配管１３ｈの入口に接続され、各ラジエーター１３内の通水管１３ｃ’を流通する。
また、他方の流路は、通水管１３ｃ’をバイパスして往管４１から還管４２へ直接水を流すバイパス管４３である。このバイパス管４３の下流側は、還管４２の途中に合流するように接続される（図７参照）。
【００３７】
流量調整装置５０は、バイパス管４３に流れる水の流量を調整する装置であればよく、図７に示す好ましい一例によれば、電動三方弁が用いられる。
この流量調整装置５０は、図示しない制御回路からの制御信号に応じて、内在する弁体の位置を電磁ソレノイドにより変化させて、バイパス管４３に流れる水の流量を増加したり低減したりする。
詳細に説明すれば、前記制御回路は、空気熱源ヒートポンプ装置３０からの信号に基づき、デフロスト運転の開始を感知した場合には、上述した電熱ヒーター１３ｄの温度制御を開始するとともに、流量調整装置５０を制御して、バイパス管４３に流れる水の流量を増加し、温風発生器１０側へ流れる水の流量を低減する。
例えば、前記制御により、温風発生器１０内の水の流れを停止すれば、電熱ヒーター１３ｄの熱が、熱交換フィン１３ａ及び電熱ヒーター１３ｄを介して、通水管１３ｃ’内で停留している水に熱伝達して蓄積される。
【００３８】
また、前記制御回路は、空気熱源ヒートポンプ装置３０からの信号に基づき、デフロスト運転の終了を感知した場合には、上述した電熱ヒーター１３ｄの温度制御を終了するとともに、流量調整装置５０を制御して、バイパス管４３に流れる水の流量を低減し、温風発生器１０側へ流れる水の流量を増加する。
【００３９】
次に、上記構成の温風発生器１０及び温風床下暖房システムＡについて、その特徴的な作用効果を詳細に説明する。
通常運転時は、空気熱源ヒートポンプ装置３０から供給される温水を熱源にして、温風ダクト２０の循環経路中の温風発生器１０に通過する空気を温める。この際、比熱が水の1/4である空気をラジエーター１３によって直接加熱するため、効率的な昇温が行われる。
【００４０】
そして、ラジエーター１３から送出される温風は温風ダクト２０内を循環し、この温風ダクト２０の熱が床下のコンクリート層１や空気層３に熱伝達し、さらに、床面からふく射熱として放射される。その結果、床上の部屋全体を「陽だまりのような暖かさ」でムラなく快適に温めることができる。
【００４１】
また、空気熱源ヒートポンプ装置３０のデフロスト運転中は、ラジエーター１３に埋め込まれた電熱ヒーター１３ｄによる加熱と、流量調整装置５０及びバイパス管４３等による流路切替えにより、温水温度の低下を効果的に阻み、温風の温度を安定させる。すなわち、デフロスト運転中、電熱ヒーター１３ｄの熱は、ラジエーター１３の熱交換フィン１３ａに伝達し、さらに、ラジエーター１３の通水管１３ｃ’内で停留している温水にも熱伝達して蓄積される。このため、多数の熱交換フィン１３ａ全体を適宜な温度に安定させることができる。
したがって、デフロフト運転中も、温風発生器１０３から吐出される温風を、著しい温度低下のない安定した温度に維持することができ、ひいては、床２からのふく射熱による快適な暖房効果を、途切れることなく継続することができる。
【００４２】
しかも、上記構成の温風発生器１０は、多数の熱交換フィン１３ａに通水管１３ｃ’と電熱ヒーター１３ｄの双方を埋め込んだ独自構造を採用しているため、ラジエーター１３及び温風発生器１０全体をコンパクトな構成にすることができる。
【００４３】
さらに、上記実施態様は、空気熱源ヒートポンプを有効に利用したハイブリット型の温水式温風床下暖房システムであるため、電力消費減少による地球温暖化防止、化石燃料使用削減による環境改善、室内衛生環境良化、省エネルギー促進、心地よく衛生的なふく射熱源暖房の普及、冷暖房熱源一元化等、特に環境面において有用な様々な効果を奏する。
【００４４】
なお、上記実施態様によれば、各ラジエーター１３について、単数の電熱ヒーター１３ｄを設けたが、他例としては、電熱ヒーター１３ｄを間隔を置いて複数並設した態様や、電熱ヒーター１３ｄと通水管１３ｃ’とを交互に複数配設した態様等とすることも可能である。
【００４５】
また、上記実施態様では、電熱ヒーター１３ｄは伝熱管１３ｃを介して熱交換フィン１３ａに挿通するようにしたが、他例としては、図８に示すように、電熱ヒーター１３ｄを、直接、熱交換フィン１３ａに挿通し接触させることも可能である。
【００４６】
また、上記実施態様では、特に好ましい態様として、流量調整装置５０に電動三方弁を用いたが、この流量調整装置５０の他例としては、バイパス管４３の流路中に設けられてその流路面積を増減する流量調整弁とすることが可能である。
さらに、他例としては、電動四方弁や、その他の切り替え弁を用いて、温風発生器１０を流れる流路と、バイパス管４３を流れる流路を切り替える構成とすることも可能である。
【００４７】
また、上記実施態様では、電熱ヒーター１３ｄを温度制御するための温度センサ１４をケース１１内の吸込口１１ａ２１の下流側に設けたが、他例としては、前記温度センサ１４をケース１１内の吐出口１１ａ２２の上流側に設けた態様や、前記温度センサ１４を吸込口１１ａ２１内又は吐出口１１ａ２２内に設けた態様、前記温度センサ１４を温風ダクト２０内に設けた態様等とすることも可能である。さらに、他例としては、前記温度センサ１４をコンクリート層１又は空気層３に設けた態様とすることも可能である。
【００４８】
また、上記実施態様では、特に好ましい一例として、温風発生器１０の温水の熱源として、空気熱源ヒートポンプ装置３０を用いたが、他例としては、前記温水の熱源として、給湯可能な他の機器（例えば、ボイラーや給湯器等）を用いることも可能である。
【００４９】
次に、他の実施態様の温風発生器１０’について説明する（図９参照）。
この温風発生器１０’は、上記構成の温風発生器１０に対し、通水管１３ｃ’の上流側の配管と下流側の配管に、可撓性を有する長尺状のコードヒーター６０を巻き付けたものである。
【００５０】
前記上流側の配管と下流側の配管は、図示例によれば、分配管１３ｈ、ベンド管１３ｅ，１３ｇ、及び集合管１３ｉなど、ケース１１内にてラジエータ１３の上流側及び下流側に接続された配管である。
【００５１】
コードヒーター６０は、適宜な電力（例えば１００Ｗ等）が供給されることにより発熱する長尺可撓性のヒーターである。このコードヒーター６０の一例としては、ニッケルクロム線等の発熱電線を、その周囲を覆うシリコンゴムと一体成型したものとすればよい。
このコードヒーター６０は、上述した電熱ヒーター１３ｄと同様に、空気熱源ヒートポンプ装置３０のデフロスト運転中に、通電されるように図示しない制御回路によって制御されている。
すなわち、制御回路は、空気熱源ヒートポンプ装置３０のデフロスト運転が開始した場合に、電熱ヒーター１３ｄ及びコードヒーター６０の温度制御を略同時に開始し、デフロスト運転が終了した場合には、電熱ヒーター１３ｄ及び電熱ヒーター１３ｄの温度制御を略同時に終了する。
【００５２】
よって、図９に示す温風発生器１０’によれば、デフロスト運転中、電熱ヒーター１３ｄの熱に加えて、コードヒーター６０の熱によってもラジエータ１３を加熱するため、特に寒冷地等においても、温水温度の低下を効果的に阻むことができる。ひいては、温風発生器１０’から吐出される温風を、より安定した温度に維持し、床２からのふく射熱による快適な暖房効果をいっそう効果的に発揮することができる。
【００５３】
なお、上記温風発生器１０’によれば、ケース１１内において通水管１３ｃ’の上流側と下流側の双方にコードヒーター６０を設けて、循環する水を効果的に加熱するようにしたが、他例としては、コードヒーター６０を上流側のみ又は下流側のみに設けた態様とすることも可能である。
さらに、他例としては、コードヒーター６０を、ケース１１外の配管（例えば、図７の流量調整装置５０よりも温風発生器１０側の配管等）に設けることも可能である。
【００５４】
また、上記温風発生器１０’によれば、電熱ヒーター１３ｄとコードヒーター６０を略同時に通電するようにしたが、他例としては、これら二種類のヒーター１３ｄ，６０を、順次に通電したり、それぞれ個別に制御したりすることも可能である。
【００５５】
また、本発明は上述した実施態様に限定されず、本発明の要旨を変更しない範囲で適宜変更可能である。
【符号の説明】
【００５６】
１：コンクリート層
２：床
３：空気層
１０：温風発生器
１１：ケース
１１ａ２１：吸込口
１１ａ２２：吐出口
１２：ファン
１３：ラジエーター
１３ａ：熱交換フィン
１３ｃ：伝熱管
１３ｃ’：通水管
１３ｄ：電熱ヒーター
１４：温度センサ
２０：温風ダクト
３０：空気熱源ヒートポンプ装置
４１：往管
４２：還管
４３：バイパス管
５０：流量調整装置
Ａ：温風床下暖房システム
【図１】
2020046105.tif 000003
【図２】
2020046105.tif 000004
【図３】
2020046105.tif 000005
【図４】
2020046105.tif 000006
【図５】
2020046105.tif 000007
【図６】
2020046105.tif 000008
【図７】
2020046105.tif 000009
【図８】
2020046105.tif 000010
【図９】
2020046105.tif 000011